(57)【要約】【課題】  窓の見栄えがよいうえにコンパクト化が図れる揺動窓のロック操作装置を提供する。【解決手段】  揺動窓は、窓枠２の縦枠２ａの上下方向の中間に配置しているヒンジ５で障子３を揺動自在に支持している。ロックピン３８と受け部材３９からなるロック構造は、リンケージバー２７が障子３の框６に沿って移動することで障子３を全閉姿勢でロックする。本発明のロック操作装置は、障子３の開閉に連動するローラ３０の支持軸３２と、その支持軸３２によって揺動駆動される解除アーム３０とを有する。解除アーム３０は、一端を障子３に揺動自在に支持し、他端側に前記支持軸３２が接触する。解除アーム３０の長さ方向の中間がリンケージバー２７に接続可能になっている。そして、支持軸３２が解除アーム３０の他端側を押すことで、解除アーム３０が揺動してリンケージバー２７が移動し、全閉姿勢でロックされている障子３のロックが解除される。【選択図】  図１
2015194071.tif 000002
【特許請求の範囲】
【請求項１】
方形状に枠組みした窓枠（２）内に障子（３）を揺動自在に支持しており、前記障子（３）の方形状の框（６）に沿って延びるリンケージバー（２７）と前記窓枠（２）とに亘ってロック構造を設けていて、そのロック構造は、前記リンケージバー（２７）が前記框（６）に沿って移動することで、全閉姿勢の前記障子（３）をロックし、またそのロックを解除するように構成している揺動窓において、
前記障子（３）の開閉に連動する駆動部材（３２）と、その駆動部材（３２）によって揺動駆動される解除アーム（３０）とを有しており、
前記解除アーム（３０）は、その一端を前記障子（３）に揺動自在に支持していて、他端側に前記駆動部材（３２）が接触可能になっており、また前記解除アーム（３０）の長さ方向の中間を前記リンケージバー（２７）に接続可能にしており、
前記駆動部材（３２）が前記解除アーム（３０）の他端側を押すことで、当該解除アーム（３０）が揺動し、それによって前記リンケージバー（２７）が移動して、前記全閉姿勢でロックされている前記障子（３）のロックを解除することを特徴とする揺動窓のロック操作装置。
【請求項２】
前記リンケージバー（２７）に設けていて前記駆動部材（３２）が接触するロックブラケット（２８）を有しており、
前記駆動部材（３２）が、前記ロックブラケット（２８）を押して前記リンケージバー（２７）を前記ロックの解除の際の方向と逆方向へ移動させることで、前記障子（３）がロックされることを特徴とする請求項１記載の揺動窓のロック操作装置。
【請求項３】
前記解除アーム（３０）は、前記障子（３）のロックを解除している間は前記リンケージバー（２７）に対して傾斜する姿勢になっており、
前記障子（３）をロックする際には、前記駆動部材（３２）が前記解除アーム（３０）と干渉することなく前記ロックブラケット（２８）に接触することを特徴とする請求項２記載の揺動窓のロック操作装置。
【請求項４】
前記解除アーム（３０）を付勢することで、その解除アーム（３０）を自由状態において所定の待機姿勢に支持する支持用付勢手段を配置しており、
前記待機姿勢では、前記解除アーム（３０）が前記障子（３）のロックを解除した際のロック解除姿勢よりも前記ロック時の姿勢寄りに傾斜しており、
前記障子（３）をロックする際には、前記駆動部材（３２）が前記解除アーム（３０）の先端（３０ａ）よりも基端側にずれた箇所に当接して前記解除アーム（３０）を揺動させることを特徴とする請求項１または２に記載の揺動窓のロック操作装置。
【請求項５】
前記支持用付勢手段は、板バネ（４１）からなり、
その板バネ（４１）は、前記解除アーム（３０）を前記待機姿勢へ向けて付勢可能になっていることを特徴とする請求項４記載の窓のロック操作装置。
【請求項６】
前記板バネ（４１）は、その一端部（４１ａ）が前記解除アーム（３０）の基端部に設けている突起（３０ｃ）に当接することで当該解除アーム（３０）を前記待機姿勢に向けて付勢可能になっており、前記板バネ（４１）の他端部（４１ｂ）は前記框（６）に固定していることを特徴とする請求項５記載の揺動窓のロック操作装置。
【請求項７】
前記支持用付勢手段は、ねじりコイルバネ（４５）からなり、
そのねじりコイルバネ（４５）は、前記解除アーム（３０）の軸ピン（２９）に配置していて、前記ねじりコイルバネ（４５）の一端部（４５ａ）は、前記解除アーム（３０）を受け止めることで前記待機姿勢で支持可能になっており、前記ねじりコイルバネ（４５）の他端部（４５ｂ）は、前記障子（３）に取り付けていることを特徴とする請求項４記載の揺動窓のロック操作装置。
【請求項８】
前記リンケージバー（２７）には、前記解除アーム（３０）が当接可能な従動部材（３６）を設けており、
前記ロックの解除の方向へ前記解除アーム（３０）が揺動する場合のみに、当該解除アーム（３０）が前記従動部材（３６）を前記ロックの解除の方向へ押すことができることを特徴とする請求項１ないし７のいずれかに記載の揺動窓のロック操作装置。
【発明の詳細な説明】
【技術分野】
【０００１】
本発明は、換気などを行うための揺動窓のロック操作装置に関するものである。
【背景技術】
【０００２】
例えば特許文献１に示すように、左右の縦枠（窓枠）の上下方向の中間に設けた水平横軸を中心に揺動する障子で建物の窓を開閉する、いわゆる横軸回転窓（揺動窓）が知られている。その特許文献１の横軸回転窓では、前記窓を開閉する開閉機構を設けており、その開閉機構によって障子を強制的に全閉姿勢にするとともに、その全閉姿勢を解除して障子が風圧に応じた角度に揺動できるようにしている。
【０００３】
その特許文献１の横軸回転窓にあっては、障子を全閉姿勢でロックするためのロック機構を設けている。具体的には、前記ロック機構には、電動シリンダーによって窓枠に沿って左右方向へ駆動するロックピンと、障子の框に設けた係止具とを有している。そして、障子を全閉姿勢にしたのちに、電動シリンダーによって前記ロックピンを駆動して前記係止具の後方（障子が開く方向）に臨ませることで、障子が全閉姿勢でロックされるようになっている。
【先行技術文献】
【特許文献】
【０００４】
【特許文献１】特開２０１１−６４０４６号公報
【発明の概要】
【発明が解決しようとする課題】
【０００５】
前記特許文献１のロック機構では、前記電動シリンダーや、その電動シリンダーと前記ロックピンとを接続する連結プレートなどを窓枠の外側に配置することになるので（特許文献１の図６参照）、窓の見栄えが悪くなるうえに、ロック機構全体としては嵩張ってしまいコンパクト化を図ることができないといった問題があった。
【０００６】
本発明は、かかる不都合を解決することを目的として提供されたものであり、窓の見栄えがよいうえにコンパクト化が図れる揺動窓のロック操作装置を提供することにある。
【課題を解決するための手段】
【０００７】
かかる不都合を解決するために、本発明は、方形状に枠組みした窓枠２内に障子３を揺動自在に支持しており、障子３の方形状の框６に沿って延びるリンケージバー２７と窓枠２とに亘ってロック構造を設けていて、そのロック構造は、リンケージバー２７が框６に沿って移動することで、全閉姿勢の障子３をロックし、またそのロックを解除するように構成している揺動窓において、障子３の開閉に連動する駆動部材３２と、駆動部材３２によって揺動駆動される解除アーム３０とを有しており、解除アーム３０は、その一端を障子３に揺動自在に支持していて、他端側に駆動部材３２が接触可能になっており、また解除アーム３０の長さ方向の中間をリンケージバー２７に接続可能にしており、駆動部材３２が解除アーム３０の他端側を押すことで解除アーム３０が揺動し、それによってリンケージバー２７が移動して、全閉姿勢でロックされている障子３のロックを解除することを特徴とするものである。
【０００８】
ここでの揺動窓には、横軸回転窓や縦軸回転窓や外倒し窓や突出し窓や辷り出し窓などが該当する。窓枠２は、若干湾曲したものであってもよく、それに合わせて障子３の框６も若干湾曲したものであってもよい。駆動部材３２には、円柱や四角柱などのピン形状のものやアーム形状のものやローラの軸などが該当する。駆動部材３２の一端は障子３の框６に支持することが好ましい。駆動部材３２と解除アーム３０の他端側との接触には、駆動部材３２が解除アーム３０に常に接触している場合や、駆動部材３２が解除アーム３０の他端側から離れている状態から解除アーム３０の他端側に形成した切り欠きなどに係合することで接触する場合なども該当する。
【０００９】
解除アーム３０とリンケージバー２７との接続には、リンケージバー２７や解除アーム３０に設けたピンなどを、それに対応して解除アーム３０やリンケージバー２７に設けた切り欠きや孔などに係合させて接続する場合や、リンケージバー２７に設けたピンなどに解除アーム３０が当接することで接続する場合などが含まれる。障子３の全閉姿勢には、障子３が若干開いている状態の姿勢も含まれる。
【００１０】
また、リンケージバー２７に設けていて駆動部材３２が接触するロックブラケット２８を有しており、駆動部材３２が、ロックブラケット２８を押してリンケージバー２７をロックの解除の際の方向と逆方向へ移動させることで、障子３がロックされるものとすることができる。
【００１１】
また、解除アーム３０は、障子３のロックを解除している間はリンケージバー２７に対して傾斜する姿勢になっており、障子３をロックする際には、駆動部材３２が解除アーム３０と干渉することなくロックブラケット２８に接触するものとすることができる。
【００１２】
解除アーム３０を付勢することで解除アーム３０を自由状態において所定の待機姿勢に支持する支持用付勢手段を配置しており、待機姿勢では、解除アーム３０が障子３のロックを解除した際のロック解除姿勢よりも前記ロック時の姿勢寄りに傾斜しており、障子３をロックする際には、駆動部材３２が解除アーム３０の先端３０ａよりも基端側にずれた箇所に当接して解除アーム３０を揺動させるものとすることができる。ここでの支持用付勢手段には、引張りコイルバネや板バネやねじりコイルバネや合成ゴムなどが該当する。自由状態とは、解除アーム３０に駆動部材３２が接触していない状態などが該当し、解除アーム３０とリンケージバー２７との接続が解除されている状態なども含まれる。ここでの解除アーム３０の先端３０ａよりも基端側にずれた箇所とは、ロック状態になる際に移動する駆動部材３２が解除アーム３０に突っ張り棒状に突き当たることがほぼ生じない箇所が該当する。
【００１３】
具体的には、支持用付勢手段は、板バネ４１からなり、その板バネ４１は、解除アーム３０を待機姿勢へ向けて付勢可能になっている。ここでは、板バネ４１が解除アーム３０の基端側を付勢する場合や、解除アーム３０の先端側を付勢する場合などが該当する。
【００１４】
詳しくは、板バネ４１は、その一端部４１ａが解除アーム３０の基端部に設けている突起３０ｃに当接することで解除アーム３０を待機姿勢に向けて付勢可能になっており、板バネ４１の他端部４１ｂは障子３の框６に固定している。解除アーム３０の突起３０ｃの形状は、円弧状のものや方形状のものなどが該当する。突起３０ｃは、解除アーム３０と一体形成したものや、解除アーム３０と別体に構成して、その突起３０ｃを解除アーム３０に取り付けるものなどが該当する。
【００１５】
支持用付勢手段としては、ねじりコイルバネ４５からなり、そのねじりコイルバネ４５は、解除アーム３０の軸ピン２９に配置していて、ねじりコイルバネ４５の一端部４５ａが解除アーム３０を受け止めることで解除アーム３０を待機姿勢で支持可能になっており、ねじりコイルバネ４５の他端部４５ｂが障子３に固定しているものとすることができる。ここでの解除アーム３０の軸ピン２９とは、解除アーム３０の揺動の中心となる軸が該当し、解除アーム３０と軸ピン２９とを一体形成していて、その軸ピン２９を障子３に揺動自在に支持する場合や、解除アーム３０と軸ピン２９とを別々に形成していて、軸ピン２９を障子２に固定し、その軸ピン２９に解除アーム３０を揺動自在に支持する場合などが該当する。
【００１６】
また、リンケージバー２７には、解除アーム３０が当接可能な従動部材３６を設けており、ロックの解除方向へ解除アーム３０が揺動する場合のみに、当該解除アーム３０が従動部材３６をロックの解除方向へ押すことができるものとすることができる。ここでの従動部材３６には、円柱や四角柱などのピン形状のものやアーム形状のものやローラなどが該当する。ここでは、解除アーム３０に切り欠き３５を設けていて、解除アーム３０が従動部材３６に当接する際には、当該従動部材３６が解除アーム３０の切り欠き３５に入り込んでいる場合なども含まれる。
【発明の効果】
【００１７】
本発明に係るロック操作装置は、従来から横軸回転窓などの揺動窓に用いられているリンケージバー２７とロック構造とを利用して、当該ロック構造によって全閉姿勢でロックされている障子３の当該ロックの解除を行なうことができるので、その分だけ前記ロックの解除のための機構の設計の手間を軽減することができる。かかるリンケージバー２７は、従来から障子３の框６の内部に配置されていて窓の外部からは見え難いので、その分だけ窓の見栄えをよくすることができる。
【００１８】
しかも、一端が障子３に支持され、他端側に駆動部材３２が接触する解除アーム３０の長さ方向の中間をリンケージバー２７に接続可能にしているので、解除アーム３０が、障子３を支点にするテコとして作用することになる。それにより、駆動部材３２は、比較的小さい力でリンケージバー２７を移動させることができ、その分だけ駆動部材３２の移動機構などの負担を軽減することができて、当該ロック操作装置の移動機構などのコンパクト化を図ることができる。
【００１９】
駆動部材３２によってロックブラケット２８を押すことで障子３をロックすると、一つの駆動部材３２で、障子３のロック解除のための解除アーム３０の駆動と、障子３のロックのためのロックブラケット２８の駆動とを行なえることになり、その分だけロック操作装置の構成の簡略化を図ることができる。
【００２０】
障子３をロックする際には解除アーム３０が傾斜していて、駆動部材３２が解除アーム３０と干渉することなくロックブラケット２８に接触することができると、障子３をロックする際での駆動部材３２と解除アーム３０との接触による磨耗などを防止することができる。
【００２１】
また、待機姿勢では、解除アーム３０がロック解除姿勢よりもロック時の姿勢寄りに傾斜し、障子３をロックする際には、駆動部材３２が解除アーム３０の先端３０ａよりも基端側にずれた箇所に当接して解除アーム３０を揺動させるようにすると、障子３をロックする際に駆動部材３２が解除アーム３０の先端３０ａに突き当たって、その駆動部材３２の移動が阻害されることを抑えることができる。
【００２２】
つまり、例えば支持用付勢手段を設けていない場合には、解除アーム３０は、ロックを解除したときのロック解除姿勢を維持する可能性がある。その場合、解除アーム３０の先端３０ａが、ロック時の位置に移動する駆動部材３２に突っ張り棒状に突き当たる可能性があり、それによって解除アーム３０が駆動部材３２の移動を妨げてしまう。
【００２３】
それに対して本発明では、解除アーム３０を前記待機姿勢にすることで、解除アーム３０の先端３０ａが駆動部材３２からずれ、その分だけ解除アーム３０の先端３０ａが駆動部材３２に突き当たり難くなる。それによって駆動部材３２が解除アーム３０に邪魔されることなく確実に移動することができる。
【００２４】
支持用付勢手段が板バネ４１からなると、その板バネ４１は嵩張らないように構成できるので（図８参照）、その分だけ支持用付勢手段を引っ張りバネなどで構成する場合よりもコンパクトに構成することができ、例えば設置スペースが小さくても当該支持用付勢手段（板バネ４１）を設置することができる。
【００２５】
板バネ４１の一端部４１ａが解除アーム３０の突起３０ｃに当接することで解除アーム３０を待機姿勢に向けて付勢可能になっていると、板バネ４１の一端部４１ａが前記突起３０ｃ（解除アーム３０の基端側）を確実に捉えることができて、板バネ４１によって解除アーム３０を確実に揺動させることができる。
【００２６】
支持用付勢手段が、解除アーム３０の軸ピン２９に配置しているねじりコイルバネ４５からなると、その場合でも支持用付勢手段を引っ張りバネなどで構成する場合よりもコンパクト化を図ることができる。しかも、ねじりコイルバネ４５の一端部４５ａは、解除アーム３０を受け止めて待機姿勢で支持するようになっているので、例えば解除アーム３０を前記待機姿勢よりもロック時の姿勢側に揺動させる際には、解除アーム３０がねじりコイルバネ４５の一端部４５ａから離れる。それによってねじりコイルバネ４５の付勢力が、解除アーム３０のロック側への揺動の負荷になることが抑えられる。
【００２７】
障子３のロックの解除方向へ解除アーム３０が揺動する際のみに解除アーム３０が従動部材３６を前記ロックの解除方向へ押すことができると、例えば、障子３が開いている状態で解除アーム３０に他物が当たって、当該解除アーム３０が障子３のロック方向へ揺動しても、その解除アーム３０の揺動に連れ立って従動部材３６（リンケージバー２７）が不本意に障子３のロック方向へ移動することが防がれる。それにより、障子３を閉じた際に、ロック構造のリンケージバー２７側の部材（例えば図７ではロックピン３８）がロック側（図７の二点鎖線図参照）に位置していることで、ロック構造の窓枠２側の部材（例えば図７では受け部材３９）に干渉（衝突）することなどが防がれる。
【図面の簡単な説明】
【００２８】
【図１】本発明に係る揺動窓のロック操作装置の要部を示す横断面図である。
【図２】本発明のロック操作装置を設けた横軸回転窓の正面図である。
【図３】図２のＢ―Ｂ線矢視断面図である。
【図４】図１のＡ―Ａ線矢視断面図である。
【図５】第１実施例のロック操作装置の動作を説明するための図４相当図である。
【図６】横軸回転窓の開閉機構の動作を説明するための図３相当図である。
【図７】ロック操作装置の動作を説明するための模式図である。
【図８】第２実施例のロック操作装置の要部を示す縦断面図である。
【図９】第２実施例のロック操作装置の動作を説明するための縦断面図である。
【図１０】第２実施例のロック操作装置の動作を説明するための縦断面図である。
【図１１】第３実施例のロック操作装置の要部を示す縦断面図である。
【発明を実施するための形態】
【００２９】
本発明に係るロック操作装置を適用した横軸回転窓（揺動窓）の第１実施例を図面に基づいて説明する。この第１実施例での横軸回転窓は、図２に示すように、左右方向に並べた２連１組の連窓として窓部１を構成している。
【００３０】
前記窓部１は、例えば建物の外壁（図示せず）に形成した開口に配置してあって、方形状に枠組みした窓枠２を有しており、その窓枠２の左右方向の中央に方立４を設けている。その窓枠２内の左右に障子３・３を配置しており、各障子３は、窓枠２の左右の縦枠２ａと前記方立４との上下方向の中間に配置しているヒンジ５によって、建物の内外方向へ揺動自在に支持されている。
【００３１】
各障子３は、その自重によって当該障子３の上部が建物内部（以下、室内という。）側へ傾くようになっている（図６の状態）。なお、例えば、各障子３の方形状に枠組みした框６での上框６ａにバランサー（錘）を配置して、そのバランサーの重量で障子３の上部が室内側へ傾くようにしてもよく、またスプリングバネなどの付勢力で障子３の上部が室内側へ傾くようにしてもよい。
【００３２】
各障子３は、前記框６の内方に板ガラス７を装着している。前記窓部１には、障子３の框６や窓枠２（方立４を含む。）の周縁に沿って合成ゴムなどからなる止水部材を設けており、障子３を全閉姿勢（図３の姿勢）にしたときに前記止水部材が窓枠２（方立４）や障子３の框６に密着することで、その止水部材によって障子３の框６と窓枠２（方立４）との間が塞がれるようにしている。
【００３３】
前記揺動窓には、図１および図３に示すように、各障子３を強制的に全閉姿勢（図３の姿勢）にするための開閉機構１０と、ロック操作機構１１とを配置している。そのロック操作機構１１は、各障子３を前記全閉姿勢でロックする操作、およびそのロックの解除を操作するようになっている。
【００３４】
前記開閉機構１０には、駆動源（アクチュエーター）としての電動モータ（図示せず）と、その電動モータの横向きの出力軸１２に連結していてネジ歯車などからなる伝達方向変換装置１３と、その伝達方向変換装置１３にカプラー１４を介して連結している縦向きのロッド１５と、そのロッド１５の上端にカプラー１６を介して連結している縦向きの雄ネジ部材１７と、その雄ネジ部材１７によって上下方向へ移動駆動される操作部１８とを有している。
【００３５】
なお、前記ロッド１５は、その上端部を方立４の室内側に取り付けている第１保持部材１９に回転自在に保持しており、前記雄ネジ部材１７は、その上下端部を方立４の室内側に取り付けている第２保持部材２０と第３保持部材２１とにそれぞれ回転自在に保持している。
【００３６】
前記操作部１８には、前記雄ネジ部材１７に螺合していて当該雄ネジ部材１７の回転に応じて上下方向（図１では、図面の裏表方向）へ移動するベース部材２３と、そのベース部材２３に取り付けているブラケット２４と、そのブラケット２４に取り付けている左右一対のローラ２５・２５とを有している。各ローラ２５は、障子３の上部に押し当たることで当該障子３を閉じる。前記ローラ２５を配置しているベース部材２３が、そのベース部材２３と螺合する雄ネジ部材１７によって駆動される構成にしているので、例えば、ベース部材２３に動滑車を設けるとともに、窓枠２の上枠２ｂや方立４の上端に定滑車を設け、それらの滑車にワイヤーを掛け渡してベース部材２３を駆動する構成よりもコンパクト化を図ることができる。
【００３７】
前記ロック操作機構１１には、図１および図４に示すように、各障子３のリンケージバー２７にそれぞれ取り付けている（設けている）ロックブラケット２８と、各障子３の框６にそれぞれ取り付けている左右一対の軸ピン２９に一端（基端：図４では左端）を揺動自在に支持している左右一対の解除アーム３０とを有している。詳しくは、前記軸ピン２９は、各障子３の方立４側の縦框６ｂの内面に対して横向きに配置している。リンケージバー２７は、各障子３の框６内に配置している。
【００３８】
前記各解除アーム３０の他端側（先端側：図４では右側）は、障子３の框６の縦框６ｂにおいて室内側に形成している縦長の長孔３１から室内側に突出している。その各解除アーム３０の他端側に前記各ローラ２５の支持軸（駆動部材）３２がそれぞれ接触（当接）可能になっている。そして、前記開閉機構１０のベース部材２３の下降に伴って各ローラ２５が下降して、各ローラ２５の支持軸３２が各解除アーム３０の他端側にそれぞれ接触することで、当該支持軸３２によって解除アーム３０の他端側が押し下げられる（図５の実線図の状態）。
【００３９】
前記長孔３１からは、前記ロックブラケット２８も室内側に突出している。各ローラ２５が上昇して当該ローラ２５の支持軸３２が前記ロックブラケット２８に接触（当接）することで、当該支持軸３２によってロックブラケット２８が押し上げられる。解除アーム３０の他端の上部は、図４に示すように切り欠いていて、前記ローラ２５が解除アーム３０よりも下側に移動する際に、解除アーム３０の他端側がローラ２５の支持軸３２と干渉することを抑えている。
【００４０】
前記開閉機構１０のベース部材２３は、方立４の室内側に取り付けていて上下方向へ延びているガイドレール３４に上下方向への移動のみ可能に係合している。前記ブラケット２４は、前記ベース部材２３の室内側に取り付けており、そのブラケット２４の左右両端部２４ａ・２４ａがそれぞれ室外側に屈曲している。ブラケット２４の左右両端部２４ａ・２４ａの内側に、前記各ローラ２５の支持軸３２をそれぞれ横向きに取り付けている。
【００４１】
各障子３のリンケージバー２７は、各障子３の框６に沿って移動可能になっている。各リンケージバー２７は、各障子３の框６の縦框６ｂのみならず上框６ａや下框６ｃにも配置しているが、左右の縦框６ｂのうち、方立４側の縦框６ｂのみに配置しているものや、その縦框６ｂに加えて上框６ａや下框６ｃのいずれか一方のみに配置しているものなどであってもよい。
【００４２】
前記解除アーム３０の長さ方向（図４では左右方向）の中間には、図４に示すように、上向きに凹む切り欠き３５を形成しており、その切り欠き３５に、各リンケージバー２７に取り付けている（設けている）従動ピン（従動部材）３６が入り込んだ状態で接続されるようになっている。そして、解除アーム３０が下向き（ロックの解除方向）に揺動したときには、当該解除アーム３０の切り欠き３５の上縁が、前記従動ピン３６に押し当たって当該従動ピン３６を下方へ移動させる（ロックの解除方向へ押す）。解除アーム３０の切り欠き３５にリンケージバー２７の従動ピン３６が入り込むことで、解除アーム３０から前記従動ピン３６が外れ難くなる。
【００４３】
各障子３の框６（例えば上框６ａや縦框６ｂや下框６ｃ）の内面には、前記リンケージバー２７が摺動可能に係合するガイド溝３７（図１）を設けている。そのガイド溝３７は各障子３の框６に沿って延びている。なお、障子３の框６の各コーナー部では、リンケージバー２７を可撓性の板（図示せず）などを用いて接続している。各リンケージバー２７の少なくとも一箇所には、図７に示すロックピン３８（ロック構造）を設けてあって、そのロックピン３８に対応する窓枠２や方立４の位置には、当該ロックピン３８を受け止めるための受け部材３９（ロック構造）を配置（固定）している。このように、リンケージバー２７と窓枠２とに亘ってロック構造が設けられる。
【００４４】
その受け部材３９は、その両端部３９ａ・３９ａが屈曲する平面視で略台形状に形成している。例えば窓枠２の上枠２ｂに配置している受け部材３９は、前記両端部３９ａ・３９ａが室内側に屈曲しており、障子３が全閉姿勢になった際に、受け部材３９の中央部３９ｂでの室外側にリンケージバー２７のロックピン３８が臨むようになっている。一方、窓枠２の下枠２ｃに配置している受け部材３９は、前記両端部３９ａ・３９ａが室外側に屈曲しており、障子３が全閉姿勢になった際に、受け部材３９の中央部３９ｂでの室内側にリンケージバー２７のロックピン３８が臨むようになっている。受け部材３９の端部３９ａを屈曲させたことで、ロックピン３８を端部３９ａに沿って受け部材３９の中央部３９ｂ側に容易にガイドすることができる。
【００４５】
そして、リンケージバー２７のロックピン３８が受け部材３９の中央部３９ｂに臨むことで（図７の二点鎖線図の状態）、障子３が全閉姿勢でロックされる。リンケージバー２７が摺動して当該リンケージバー２７のロックピン３８が受け部材３９から外れると（図７の実線図の状態）、障子３を開くことができるようになる。
【００４６】
次に、本発明に係るロック操作装置の動作について説明する。各障子３が、図３に示す全閉姿勢の際には、前述のように各障子３のリンケージバー２７のロックピン３８が受け部材３９の中央部３９ｂに臨んでいる（ロック状態）。そのとき、開閉機構１０の各ローラ２５は、図３に示すようにヒンジ５よりも上側において全閉姿勢の各障子３（縦框６ｂ）の室内側に当接している。
【００４７】
その状態で、例えば操作スイッチ（図示せず）によって換気モードに操作されると、開閉機構１０の電動モータが作動して雄ネジ部材１７が回転し、開閉機構１０の操作部１８が下降する。それに伴って各ローラ２５が下降して、当該ローラ２５の支持軸３２がロック操作機構１１の各解除アーム３０の他端側に接触し（図５の二点鎖線図参照）、その解除アーム３０の他端側を下方へ押す。すると、解除アーム３０が軸ピン２９を軸に下方へ揺動して、リンケージバー２７の従動ピン３６を押し下げる（図５の実線図参照）。それによってリンケージバー２７がスライド移動して、そのリンケージバー２７のロックピン３８が受け部材３９から外れる（ロック解除状態）。
【００４８】
開閉機構１０の操作部１８がさらに下降して、開閉機構１０の各ローラ２５がヒンジ５よりも下側に位置すると、各障子３の自重で各障子３の上部が室内側へ、各障子３の下部が室外側へ向かうように揺動して各障子３がそれぞれ開かれる（図６の状態）。その状態で各障子３は風圧（例えば室外側から室内側への風の吹き込み）に応じた角度に揺動する。各障子３は、例えば風速１ｍ／s以上の風で閉方向への揺動を開始し、風が風速１ｍ／sよりも低くなると、図６の姿勢に復帰する。
【００４９】
このように、風速（風圧）に応じて各障子３が開閉することで、例えば強風が室内に吹き込んで当該室内の書類などが吹き飛んだりするなどを防止することができる。なお、解除アーム３０は、障子３のロックを解除している間はリンケージバー２７に対して傾斜する姿勢になっている。室内側から室外側へ風が吹き出す場合も各障子３は閉方向へ揺動する。
【００５０】
各障子３が開いている状態で、例えば前記操作スイッチによって閉モードに操作されると、開閉機構１０の電動モータが作動して雄ネジ部材１７が回転し（前記障子３を開く場合とは逆方向）、開閉機構１０の操作部１８が上昇する。そして、開閉機構１０の操作部１８の各ローラ２５が、各障子３の縦框６ｂに押し当たった（当接した）状態でヒンジ５よりも上側まで上昇すると、各ローラ２５によって各障子３の上部が室外側へ押されて各障子３がそれぞれ全閉姿勢に閉じられる（図３の状態）。
【００５１】
開閉機構１０の操作部１８がさらに上昇することで、各ローラ２５の支持軸３２が、それぞれ傾斜姿勢の各解除アーム３０と干渉することなく各ロックブラケット２８に接触して、各ロックブラケット２８を押し上げる（図４の状態）。すると、各リンケージバー２７が移動して、リンケージバー２７のロックピン３８が受け部材３９の中央部３９ｂにそれぞれ臨み、それによって各障子３が全閉姿勢でそれぞれロックされる。なお、各ロックブラケット２８を押し上げた際には、リンケージバー２７の従動ピン３６によって前記傾斜姿勢の解除アーム３０は図５の二点鎖線図の姿勢に移行（復帰）する。
【００５２】
前記ロック構造は、前記説明の構成に限られるものではなく、例えば、リンケージバー２７に受け部材３９を配置するとともに、その受け部材３９に対応する窓枠２や方立４の位置にロックピン３８を配置（固定）してもよい。その場合、リンケージバー２７と共に受け部材３９が移動することになる。
【００５３】
開閉機構１０の操作部１８を移動させる構成としては、例えばラックとピニオンを用いた機構であってもよい。ローラ２５の支持軸とは別に、前記ブラケット２４に駆動部材３２を設け、その駆動部材３２が解除アーム３０の他端側に接触可能にしてもよい。また、前記説明では、２連１組の連窓の揺動窓を例にしているが、本発明は、例えば単窓の揺動窓であっても適用することができる。その単窓の場合には、例えば、前記開閉機構１０の操作部１８を窓枠２の左右の縦枠２ａのいずれかに沿って配置するとともに、その操作部１８に、前記単窓の障子３に対応してローラ２５を一個だけ配置することになる。前記単窓の障子３には、前記ローラ２５の支持軸３２に対応してリンケージバー２７に解除アーム３０およびロックブラケット２８を一個ずつ配置することになる。
【００５４】
本発明を、例えば、障子３が窓枠２の上枠２ｂと下枠２ｃとの左右方向の中間に配置しているヒンジ（図示せず）を軸に建物の内外方向へ揺動自在に支持されている、いわゆる縦軸回転窓に適用する場合には、前記操作部１８が、窓枠２の一辺である上枠２ｂや下枠２ｃに沿って左右方向へ移動するように構成することになる。この場合、前記ロックブラケット２８および前記解除アーム３０は、例えば障子３の上框６ａや前記下框６ｃに配置されているリンケージバー２７の適所に配置される。また、この場合の障子３は、スプリングバネなどの付勢力で開くように構成されることになる。
【００５５】
解除アーム３０をロックの解除方向へ付勢する付勢手段を設けてもよい。その付勢手段には、引張りコイルバネや板バネやねじりコイルバネや合成ゴムなどが該当する。解除アーム３０をロックの解除方向へ付勢する付勢手段を設けていると、前述の解除アーム３０が障子３のロック方向へ誤って揺動することが抑えられて、前記ロック構造が適正なロック解除状態から動いてしまうことを確実に防止することができる。
【００５６】
次に、本発明に係るロック操作装置の第２実施例を、図８ないし図１０に基づいて説明する。第２実施例では、図８に示すように、各解除アーム３０の基端部（図８では左側）の近傍に板バネ（支持用付勢手段）４１をそれぞれ配置している。各板バネ４１は、上下方向へ延びていて、その一端部４１ａ（図８では下側）が解除アーム３０の基端部に設けている突起３０ｃに当接可能になっている。その板バネ４１の一端部４１ａが、解除アーム３０の突起３０ｃに当接することで、解除アーム３０を所定の待機姿勢（図１０の実線図の姿勢）に向けて付勢し、それによって解除アーム３０を前記待機姿勢で支持するようになっている。
【００５７】
つまり、解除アーム３０が前記待機姿勢よりも下向き（ロック時の姿勢側）に揺動しようとしても、板バネ４１が解除アーム３０を待機姿勢へ向かうように付勢する。各板バネ４１の他端部４１ｂ（図８では上側）は、ブラケット４２を介して障子３の框６の縦框６ｂに固定している。
【００５８】
前記待機姿勢では、解除アーム３０は障子３のロックを解除した際のロック解除姿勢（図８の実線図の姿勢）よりも前記ロック時の姿勢（図９の実線図の姿勢）寄りに傾斜しており、障子３をロックする際には、図１０に示すように、ローラ２５の支持軸（駆動部材）３２が解除アーム３０の先端３０ａ（図１０では右側）よりも若干基端側（図１０では左側）にずれた箇所に当接し、その状態で解除アーム３０を上方へ揺動させる。それにより、各解除アーム３０が、障子３をロックする際に上昇する各ローラ２５の支持軸３２に対して突っ張り棒的に突き当たって、各ローラ２５の上昇を阻害することが防がれる。その他の構成については第１実施例と同様であるため、同一機能のものには同一符号を付して説明を省略する。
【００５９】
次いで、第２実施例のロック操作装置の動作について説明する。各障子３が閉じられてロックされている状態（ロック状態）で、例えば操作スイッチによって換気モードに操作されると、第１実施例と同様に開閉機構１０の操作部１８が下降する。なお、前記ロック状態では、図８に示すように、ロック操作機構１１の各解除アーム３０は、各従動ピン３６によって突き上げられていて上向きの姿勢（ロック時の姿勢）になっている。その際、各板バネ４１の一端部４１ａは、各解除アーム３０の突起３０ｃから離れている。
【００６０】
そして、前記操作部１８の下降によって、その操作部１８の各ローラ２５の支持軸３２が、前記上向き姿勢の各解除アーム３０の先端側にそれぞれ当接し（図８の二点鎖線図参照）、各解除アーム３０の先端側を下方へ押す。それによって各解除アーム３０が軸ピン２９を支点に揺動し、その解除アーム３０の突起３０ｃが各板バネ４１の一端部４１ａに当接して当該板バネ４１の付勢力に抗して押し（図９では左側）、解除アーム３０が図９に示す下向きに傾斜するロック解除姿勢になる。そのロック解除姿勢では、各解除アーム３０は前記待機姿勢よりも下向きに傾斜しており、各ローラ２５の支持軸３２は、各解除アーム３０に妨げられることなく下降することができる（図９参照）。
【００６１】
その各解除アーム３０のロック解除姿勢側への揺動によってリンケージバー２７の従動ピン３６が押し下げられて、リンケージバー２７のロックピン３８が受け部材３９から外れる（ロック解除状態：図７の実線図の状態参照）。開閉機構１０の操作部１８がさらに下降することで、各障子３がそれぞれ開かれて風圧に応じた角度に揺動可能になる（図６の状態参照）。
【００６２】
その操作部１８の下降によって前記支持軸３２が前記ロック解除姿勢の各解除アーム３０から離れたとき（自由状態）には、各解除アーム３０は、板バネ４１の付勢力で揺動して前記待機姿勢になる。なお、その待機姿勢の各解除アーム３０は、前記ロック解除姿勢よりも上向きになっている。
【００６３】
各障子３が開いている状態で、例えば操作スイッチによって閉モードに操作されると、第１実施例と同様に開閉機構１０の操作部１８が上昇し、その操作部１８の各ローラ２５によって各障子３がそれぞれ全閉姿勢に閉じられる。その際、各解除アーム３０は、板バネ４１によって前記待機姿勢に支持（維持）されており、その待機姿勢にあることで各ローラ２５の支持軸３２が、各解除アーム３０の先端側であって、各解除アーム３０の先端３０ａよりも基端側にずれた箇所に確実に当接することができる（図１０の実線図の状態参照）。
【００６４】
そして、各ローラ２５の支持軸３２がそれぞれ各解除アーム３０の先端部を押し上げることで、各解除アーム３０が軸ピン２９を支点に揺動して図１０の二点鎖線図に示す上向きの傾斜姿勢（ロック時の姿勢）になり、各ローラ２５の支持軸３２は、それぞれ解除アーム３０に妨げられることなく上昇できるようになる。操作部１８がさらに上昇することで、各ローラ２５の支持軸３２が各ロックブラケット２８に接触して、各ロックブラケット２８を押し上げる。すると、各リンケージバー２７が移動して、リンケージバー２７のロックピン３８が受け部材３９の中央部３９ｂにそれぞれ臨んで、各障子３が全閉姿勢でそれぞれロックされる。
【００６５】
次に、本発明に係るロック操作装置の第３実施例を、図１１に基づいて説明する。第３実施例では、前記第１実施例における各解除アーム３０の軸ピン２９にねじりコイルバネ（支持用付勢手段）４５をそれぞれ配置していて、そのねじりコイルバネ４５によって、解除アーム３０が自由状態（解除アーム３０にローラ２５の支持軸３２が接触しておらず、またリンケージバー２７の従動ピン３６が解除アーム３０に接触していない状態）において待機姿勢（図１１では実線図の姿勢）で支持されるようにしている。
【００６６】
具体的には、ねじりコイルバネ４５の一端部４５ａは、解除アーム３０側に屈曲していて、解除アーム３０の下面３０ｂの基端側（図１１では左側）を受け止めて、解除アーム３０を前記待機姿勢で支持可能になっている。ねじりコイルバネ４５の他端部４５ｂは、障子３の框６に固定している固定ピン４６に係止されている。つまり、ねじりコイルバネ４５の他端４５ｂは、固定ピン４６を介して障子３の框６に固定している。その他の構成については第１実施例や第２実施例と同様であるため、同一機能のものには同一符号を付して説明を省略する。
【００６７】
次いで、第３実施例のロック操作装置の動作について説明する。各障子３が閉じられてロックされている状態（ロック状態）で、例えば操作スイッチによって換気モードに操作されると、第１実施例と同様に開閉機構１０の操作部１８が下降する。なお、前記ロック状態では、解除アーム３０は、上向きの姿勢（ロック時の姿勢）になっており、その解除アーム３０の一端側は、ねじりコイルバネ４５の一端部４５ａから離れている。
【００６８】
そして、前記操作部１８の下降によって、その操作部１８の各ローラ２５の支持軸３２が、前記上向き姿勢の各解除アーム３０の先端側にそれぞれ当接し、各解除アーム３０の他端側を下方へ押す。それによって各解除アーム３０が、軸ピン２９を支点に揺動し、ねじりコイルバネ４５の一端部４５ａに接触して下方に押し、ねじりコイルバネ４５の付勢力に抗してロック解除姿勢になる。そのロック解除姿勢で各ローラ２５の支持軸３２は、解除アーム３０に妨げられることなく下降することができる。
【００６９】
その各解除アーム３０のロック解除姿勢側への揺動によってリンケージバー２７の従動ピン３６が押し下げられて、リンケージバー２７のロックピン３８が受け部材３９から外れ、開閉機構１０の操作部１８がさらに下降することで、各障子３がそれぞれ開かれて風圧に応じた角度に揺動可能になる。その操作部１８の下降によって前記支持軸３２が前記ロック解除姿勢の各解除アーム３０から離れたとき（自由状態）には、各解除アーム３０は、ねじりコイルバネ４５の付勢力で揺動して前記待機姿勢になる。
【００７０】
各障子３が開いている状態で、例えば操作スイッチによって閉モードに操作されると、第１実施例と同様に開閉機構１０の操作部１８が上昇し、その操作部１８の各ローラ２５によって各障子３がそれぞれ全閉姿勢に閉じられる。その際、各解除アーム３０は、ねじりコイルバネ４５によって前記待機姿勢に支持（維持）されており、その待機姿勢にあることで各ローラ２５の支持軸３２が、各解除アーム３０の先端側であって、各解除アーム３０の先端３０ａよりも基端側にずれた箇所に確実に当接することができる（図１１参照）。
【００７１】
そして、各ローラ２５の支持軸３２がそれぞれ各解除アーム３０の先端部を押し上げることで、各解除アーム３０が軸ピン２９を支点に揺動して図１１の二点鎖線図に示す上向きの傾斜姿勢（ロック時の姿勢）になり、各ローラ２５の支持軸３２がそれぞれ解除アーム３０に妨げられることなく上昇する。操作部１８がさらに上昇することで、各ローラ２５の支持軸３２が各ロックブラケット２８に接触して、各ロックブラケット２８を押し上げ、各リンケージバー２７が移動して、リンケージバー２７のロックピン３８が受け部材３９の中央部３９ｂにそれぞれ臨んで、各障子３が全閉姿勢でそれぞれロックされる。
【００７２】
このように、前記自由状態においては、各解除アーム３０が板バネ４１またはねじりコイルバネ４５によって前記待機姿勢に支持されるので、各ローラ２５を上昇させて各障子３を閉じる（ロックする）際に、各ローラ２５の支持軸３２が各解除アーム３０の先端３０ａに突っ張り棒的に突き当たって、各ローラ２５の上昇が阻害されることを防ぐことができる。
【符号の説明】
【００７３】
２  窓枠
３  障子
４  方立
６  框
１０  開閉機構
１１  ロック操作機構
２５  ローラ
２７  リンケージバー
２８  ロックブラケット
２９  軸ピン
３０  解除アーム
３０ａ  解除アームの先端
３０ｂ  解除アームの突起
３２  ローラの支持軸
３６  従動ピン
３８  ロックピン
３９  受け部材
４１  板バネ
４１ａ  板バネの一端部
４１ｂ  板バネの他端部
４５  ねじりコイルバネ
４５ａ  ねじりコイルバネの一端部
４５ｂ  ねじりコイルバネの他端部
【図１】
2015194071.tif 000003
【図２】
2015194071.tif 000004
【図３】
2015194071.tif 000005
【図４】
2015194071.tif 000006
【図５】
2015194071.tif 000007
【図６】
2015194071.tif 000008
【図７】
2015194071.tif 000009
【図８】
2015194071.tif 000010
【図９】
2015194071.tif 000011
【図１０】
2015194071.tif 000012
【図１１】
2015194071.tif 000013